(57)【要約】【課題】足のふくらはぎ及び足首に変化に富んだ刺激が容易に付与できる健康サンダルを得る。【解決手段】ベルト又は鼻緒（５）が装着された天板（２）を設け、該天板（２）の下面に前後の肉厚が異なる台部（６）を前後反転可能に設ける。この場合、前記台部（６）の上面（６ｄ）は底面（６ｅ）に対して前後方向一端側から他端側に向けて１２度〜２０度の範囲で傾斜さ、天板（２）の表面に滑り止め（３）を設ける。また、天板（２）と台部（６）との中心部に両者を回転可能に連結する回転継手（１１）を設け、天板（２）と台部（６）との前後部に両者を互いに着脱可能に係止する係止具（９，１０）を設ける。【選択図】図１
0003108213.tif 000002
【実用新案登録請求の範囲】
【請求項１】
ベルト又は鼻緒（５）が装着された天板（２）を設け、該天板（２）の下面に前後の肉厚が異なる台部（６）を前後反転可能に設けたことを特徴とする健康サンダル。
【請求項２】
台部（６）の上面（６ｄ）を底面（６ｅ）に対して前後方向一端側から他端側に向けて１２度〜２０度の範囲で傾斜させたことを特徴とする請求項１記載の健康サンダル。
【請求項３】
天板（２）の表面に滑り止め（３）を設けたことを特徴とする請求項１又は２記載の健康サンダル。
【請求項４】
天板（２）と台部（６）との中心部に両者を回転可能に連結する回転継手（１１）を設け、天板（２）と台部（６）との前後部に両者を互いに着脱可能に係止する係止具（９，１０）を設けたことを特徴とする請求項１，２又は３記載の健康サンダル。
【考案の詳細な説明】
【技術分野】
【０００１】
本考案は、サンダルの天板を前上がりまたは前下がりに適宜変更可能にした健康サンダルに関するものである。
【背景技術】
【０００２】
従来の技術として、足を受ける本体の肉厚を前部が厚く、後部が薄い前上がりにした健康サンダル、又は、本体の肉厚を前部が薄く、後部が厚い前下がりにした健康サンダルがあった。前者のものは、これを履いた際に足のふくらはぎが延ばされて足首及びふくらはぎに適度の刺激を付与することになる。また、後者のものは、これを履いた際に足のふくらはぎが収縮されて足首及びふくらはぎに前述と異なる刺激を付与することになる。
【０００３】
従来の健康サンダルは、足を受ける本体が一体物であったので、前上がり用、前下がり用のものを購入し、需要者はこれら両者を選択して使用する必要があった。このため、需要者は使用が煩雑になるとともに、不使用時の保管スペースが増大することになる。
【特許文献１】特開２００３−２３０４０１号公報
【特許文献２】特開２００３−２８４６０１号公報
【考案の開示】
【考案が解決しようとする課題】
【０００４】
本考案は、一足で足受け面が前上がり、前下がりの二態様に切換えできる新規な健康サンダルを得ることを目的とする。
【課題を解決するための手段】
【０００５】
本考案は上記目的を達成するために、以下の如く構成したものである。即ち、請求項１に係る考案は、ベルト又は鼻緒が装着された天板を設け、該天板の下面に前後の肉厚が異なる台部を前後反転可能に設ける構成にしたものである。
請求項２に係る発明は、前記台部の上面を底面に対して前後方向一端側から他端側に向けて１２度〜２０度の範囲で傾斜させるようにしたたものである。
請求項３に係る発明は、前記天板の表面に滑り止めを設けるようにしたものである。
【考案の効果】
【０００６】
請求項１に係る発明は、台部の厚肉側を前方に向けて天板に取り付けると、天板（足受け面）が前上がりの健康サンダルとなり、これを履いた際には、足のふくらはぎが延ばされ、該ふくらはぎ及び足首部に適度の刺激が付与されることになる。逆に、上記台部の厚肉側を後方に向けて天板に取り付けると、天板（足受け面）が前下がりの健康サンダルとなり、これを履いた際には、足のふくらはぎが収縮され、該ふくらはぎ及び足首部に前述と異なる刺激が付与されることになる。これにより、一足で足受け面が前上がり、前下がりの二態様の健康サンダルを得ることができる。
請求項２に係る発明は、前記台部の上面の傾斜角度、従って天板の傾斜角度１２度〜２０度の範囲としたので、ふくらはぎ及び足首部に痛みを及ぼすことなく、この部に刺激を付与することになる。
請求項３に係る発明は、履いた際に、天板の表面に設けた滑り止めによって足裏と天板との摩擦係合力が増大されることになる。このため、天板の傾斜角度が大きくても歩行が円滑に行なえることになる。
【考案を実施するための最良の形態】
【０００７】
以下本考案を図に基づいて説明する。図において、図１は本考案の第１実施例を示す側面断面図、図２は図１の平面図、図３は天板と台部とを分離した状態の側面断面図、図４は台部を前後逆向きにして天板に取り付けた状態の側面断面図、図５は天板と台部との他の取り付け状態を示す側面断面図である。
【０００８】
図１、図２において、１は健康サンダルであり、天板２、ベルト５、台部６を主要部品として構成される。天板２は、軟質性の合成樹脂、ゴム等により全面が略等しい肉厚にするととに、平面視長方形状に形成し、上面に滑り止め３を有する。この滑り止め３は、多数の柱状又は半球状の突起３ａからなる。この突起３ａは足裏のツボ部と対応する部分を他よのも高くして該ツボ部に刺激を付すようにしてもよい。なお、上記滑り止め３は波形あるいは格子形の凹凸としてもよい。
【０００９】
上記天板３の前部にベルト５を取り付ける。該ベルト５は天板３の上方を横切り、その左右両端部を天板３の左右両側部に固定し、履いた際にベルト５が足１３の甲部に掛かるようになっている。なお、上記ベルト５は鼻緒に換えてもよい。また、図１の仮想線で示すように、天板２の後部側に足１３の踵に係止する後部ベルト５’を設け、該後部ベルト５’により足１３の滑りを防止するようにしてもよい。
【００１０】
台部６は、発泡性樹脂等の軽量部材により、前部６ａ側が厚肉に、後部６ｂ側が薄肉となる楔形に形成され、前縁下部を滑らかな曲面６ｃとする。該台部６の上面６ｄは、底面６ｅに対して１２度〜２０度、好ましくは約１７度で前上がり傾斜させる。なお、台部６の下部の前後中間部は図１の仮想線で示すように、逃げ凹部７を形成して軽量化を図るようにしてもよい。
【００１１】
前述した天板２と台部６とは、係止具９，１０を介して互いに部に分離可能に連結する。即ち、図３に示すように、天板２下面の前後中心部、前部、及び後部に球状の凹部９ａ，９ｂ，９ｃを形成し、台部６上面の前後中心部、前部、及び後部に上記凹部９ａ，９ｂ，９ｃに嵌合する球状の突起１０ａ，１０ｂ，１０ｃを形成する。
【００１２】
そして、健康サンダル１の天板（足受け面）２を前上がりにする際には、図１に示すように、台部６の厚肉側を前方に向け、その突起１０ａ，１０ｂ，１０ｃを天板２側の凹部９ａ，９ｂ，９ｃに係合させて両者を一体的に連結する。また、健康サンダル１の天板（足受け面）２を前下がりにする際には、図４に示すように、台部６の厚肉側を後方に向け、その突起１０ａ，１０ｂ，１０ｃを天板２側の凹部９ａ，９ｃ，９ｂに係合させて両者を一体的に連結する。なお、上記凹部９ａ，９ｂ，９ｃ及び突起１０ａ，１０ｂ，１０ｃは、左右幅方向に複数個並列に形成されている。
【００１３】
上記天板２と台部６との連結は、図５に示すようにしてもよい。即ち、天板２と台部６との中心部に両者を回転可能に連結する回転継手１１を設ける。該回転継手１１は、天板２下面の前後中心部にボルト１１ａを下方に向けて突出固定し、また、台部６前後中心部に上記ボルト１１ａが挿通される段付きのボルト挿通孔１１ｂを貫通形成する。そして、上記ボルト１１ａを台部６側のボルト挿通孔１１ｂに挿通し、ボルト１１ａの下部にナット１１ｃを螺合させ、上記台部６を天板２に対して前後中心を中心として回転可能にかつ離脱不能に連結する。また、上記天板２及び台部６の前部と後部とに、前述と同様の凹部９ｂ，９ｃ、及び突起１０ｂ，１０ｃを形成し、該天板２及び台部６の前部と後部とを分離可能に連結する。
【００１４】
これにより、台部６を天板２に対して前後に反転させる際には、上記前後部の凹部９ｂ、９ｃと後部側の突起１０ｂ、１０ｃのみを掛け外しできるようにし、天板２に対する台部６の前後反転操作が容易に行なえるようにする。なお、上記天板２と台部６との連結は面ファスナーにより着脱可能に連結するようにしてもよい。
【００１５】
上記実施例によれば、台部６を天板２に対して前後に反転させて天板２を前上がり傾斜と前下り傾斜とに切換えるようにしたので、一足で天板２（足受け面）の傾斜が反転する二態様の健康サンダルを得ることができ、サンダルの種類、及び保管スペースを少なくして足のふくらはぎ及び足首に変化に富んだ刺激を容易に付与することができる。
【図面の簡単な説明】
【００１６】
【図１】本考案の第１実施例を示す側面断面図である。
【図２】図１の平面図である。
【図３】天板と台部とを分離した状態の側面断面図である。
【図４】台部を前後逆向きにして天板に取り付けた状態の側面断面図である。
【図５】天板と台部との他の取り付け状態を示す側面断面図である。
【符号の説明】
【００１７】
１    健康サンダル
２    天板
３    滑り止め
３ａ  突起
５    ベルト
６    台部
６ａ  前部
６ｂ  後部
６ｃ  曲面
６ｄ  上面
６ｅ  底面
７    逃げ凹部
９，１０  係止具
９ａ，９ｂ，９ｃ  凹部
１０ａ，１０ｂ，１０ｃ  突起
１１    回転継手
１１ａ  ボルト
１１ｂ  ボルト挿通孔
１１ｃ  ナット
１３    足
【図１】
0003108213.tif 000003
【図２】
0003108213.tif 000004
【図３】
0003108213.tif 000005
【図４】
0003108213.tif 000006
【図５】
0003108213.tif 000007